(57)【特許請求の範囲】
【請求項１】
用紙の幅方向の側縁部に感圧接着剤が塗布された封書用紙を折った後に、折られた封書用紙の幅方向の側縁部を加圧しながら搬送することにより封書を作成する封書用圧着手段と、
用紙の全面に感圧接着剤が塗布されたハガキ用紙を折った後に、折られたハガキ用紙の全面を加圧しながら搬送することによりハガキを作成するハガキ用圧着手段と、
を有し、
感圧接着剤が塗布された用紙を折った後に必要箇所を加圧してハガキ又は封書を作成する郵便物作成装置において、
前記封書用圧着手段が、折られた封書用紙の幅方向の一対の側縁部のみを挟持して加圧する封書用圧着ローラを備えており、
前記ハガキ用圧着手段が、折られたハガキ用紙の全体を挟持して加圧するハガキ用圧着ローラを備えており、
前記封書用圧着ローラ及び前記ハガキ用圧着ローラが用紙の搬送方向に沿って並んで配置されており、
封書用紙を処理する場合には前記封書用圧着ローラのみによって封書用紙のみを処理するとともに、ハガキ用紙を処理する場合には前記ハガキ用圧着ローラのみによってハガキ用紙のみを処理するように前記封書用圧着手段及び前記ハガキ用圧着手段を制御する制御手段を有することを特徴とする郵便物作成装置。
【請求項２】
用紙の幅方向の側縁部に感圧接着剤が塗布された封書用紙を折った後に、折られた封書用紙の幅方向の側縁部を加圧しながら搬送することにより封書を作成する封書用圧着手段と、
用紙の全面に感圧接着剤が塗布されたハガキ用紙を折った後に、折られたハガキ用紙の全面を加圧しながら搬送することによりハガキを作成するハガキ用圧着手段と、
を有し、
感圧接着剤が塗布された用紙を折った後に必要箇所を加圧してハガキ又は封書を作成する郵便物作成装置において、
その周面の一部が周方向の一部について軸方向の両端部を残して凹部とされた封書用圧着部であり、その周面の他の一部がハガキ用圧着部である圧着ローラが、前記封書用圧着手段及び前記ハガキ用圧着手段として設けられており、
封書用紙を処理する場合には前記封書用圧着部のみによって封書用紙のみを処理するとともに、ハガキ用紙を処理する場合には前記ハガキ用圧着部のみによってハガキ用紙のみを処理するように前記圧着ローラを制御する制御手段を有することを特徴とする郵便物作成装置。
【請求項３】
用紙の幅方向の側縁部に感圧接着剤が塗布された封書用紙を折った後に、折られた封書用紙の幅方向の側縁部を加圧しながら搬送することにより封書を作成する封書用圧着手段と、
用紙の全面に感圧接着剤が塗布されたハガキ用紙を折った後に、折られたハガキ用紙の全面を加圧しながら搬送することによりハガキを作成するハガキ用圧着手段と、
を有し、
感圧接着剤が塗布された用紙を折った後に必要箇所を加圧してハガキ又は封書を作成する郵便物作成装置において、
封書用紙及びハガキ用紙を折るとともにハガキ用圧着部として機能する折り手段と、
前記折り手段の下流に配置され、折られた封書用紙の幅方向の一対の側縁部のみを挟持して加圧する前記封書用圧着手段としての封書用圧着ローラと、
を有することを特徴とする郵便物作成装置。
【発明の詳細な説明】
【技術分野】
【０００１】
本発明は、感圧接着剤が塗布された用紙を折った後に必要箇所を加圧して接着することにより、ハガキ又は封書を自動的に作成することができる郵便物作成装置に関するものである。
【背景技術】
【０００２】
下記特許文献１には、感圧接着剤を塗布した用紙を折り畳んで加圧するこことにより、ハガキ等を作成する技術が開示されている。この技術は、郵便法の規定に則った親展性を有するハガキに適するものとされている。すなわち、個人情報等が記載されたハガキ用紙を折り畳み、重ね合わせ部分に塗布した感圧接着剤を加圧して全面的に圧着して情報を隠蔽し、郵送後に受取人が重ね合わせ部分を再び剥離して情報を読み取るシステムに寄与するものとされている。
【０００３】
下記特許文献２には、感圧接着剤を塗布した用紙を三つ折りして封書を作成する方法についての発明が開示されている。この発明で用いられている封書用紙は、３つの紙片がミシン目で繋がったものであり、ミシン目を除く２つの紙片の外形に沿って感圧接着剤が帯状のパターンで形成されている。必要位置に宛て名と内容等を印刷した後、三つ折りにして各紙辺の各感圧接着剤を互いに接触させ、同文献２の第４図に示すように、前記封筒の幅方向の長さよりも軸方向の寸法が大きいローラ対で封筒を挟み、封筒の全面に強い圧力を加えながら搬送する。これによって、対面する各紙辺の間で接触している感圧接着剤は粘着性を生じ、封緘された封筒、すなわち封書が作成される。
【０００４】
また、下記特許文献３には、以上説明したようなハガキや封書を作成するために使用可能な感圧接着剤についての発明が開示されている。
【先行技術文献】
【特許文献】
【０００５】
【特許文献１】特開２００１−１３９９２１号公報
【特許文献２】特許第２５２１４９８号公報
【特許文献３】特開平０１−１６８７７９号公報
【発明の概要】
【発明が解決しようとする課題】
【０００６】
従来は、感圧接着剤で全面圧着するハガキの作成と、感圧接着剤で側縁部を圧着する封書の作成は、それぞれ単一機能の別々の作成装置で行なわれており、感圧接着剤を用いたハガキと封書の作成を共通の作成装置で行なうことはできなかった。仮に、感圧接着剤を用いたハガキと封書を同一の加圧手段で圧着することとすれば、ハガキは郵便法の規定により全面を圧着する必要があることから、幅方向の側縁部だけを圧着すればよい封書についても、同一の加圧手段で全幅方向について全面圧着する構成をとらざるを得ない。しかし、内容物のある封書の場合には相応の厚みがあるため、この厚みが障害となって全面加圧による圧着では側縁部を確実に圧着することが困難になる場合があった。また、幅方向の側縁部だけを加圧圧着すれば十分である封書についても全面加圧を行なうとなれば、封書の作成装置としては設備が過大であり、作成時に封書に加える圧力も過剰になるため、装置費用や維持管理の面で問題があった。
【０００７】
本発明は、以上説明したような課題に鑑みてなされたものであり、感圧接着剤を用いたハガキと封書の作成を自在に切り替えてそれぞれ最適な状態で行なうことができる簡易な構成の郵便作成装置を提供することを目的としている。
【課題を解決するための手段】
【０００９】
請求項１に記載された郵便物作成装置は、
用紙の幅方向の側縁部に感圧接着剤が塗布された封書用紙を折った後に、折られた封書用紙の幅方向の側縁部を加圧しながら搬送することにより封書を作成する封書用圧着手段と、
用紙の全面に感圧接着剤が塗布されたハガキ用紙を折った後に、折られたハガキ用紙の全面を加圧しながら搬送することによりハガキを作成するハガキ用圧着手段と、
を有し、
感圧接着剤が塗布された用紙を折った後に必要箇所を加圧してハガキ又は封書を作成する郵便物作成装置において、
前記封書用圧着手段が、折られた封書用紙の幅方向の一対の側縁部のみを挟持して加圧する封書用圧着ローラを備えており、
前記ハガキ用圧着手段が、折られたハガキ用紙の全体を挟持して加圧するハガキ用圧着ローラを備えており、
前記封書用圧着ローラ及び前記ハガキ用圧着ローラが用紙の搬送方向に沿って並んで配置されており、
封書用紙を処理する場合には前記封書用圧着ローラのみによって封書用紙のみを処理するとともに、ハガキ用紙を処理する場合には前記ハガキ用圧着ローラのみによってハガキ用紙のみを処理するように前記封書用圧着手段及び前記ハガキ用圧着手段を制御する制御手段を有することを特徴としている。
【００１０】
請求項２に記載された郵便物作成装置は、
用紙の幅方向の側縁部に感圧接着剤が塗布された封書用紙を折った後に、折られた封書用紙の幅方向の側縁部を加圧しながら搬送することにより封書を作成する封書用圧着手段と、
用紙の全面に感圧接着剤が塗布されたハガキ用紙を折った後に、折られたハガキ用紙の全面を加圧しながら搬送することによりハガキを作成するハガキ用圧着手段と、
を有し、
感圧接着剤が塗布された用紙を折った後に必要箇所を加圧してハガキ又は封書を作成する郵便物作成装置において、
その周面の一部が周方向の一部について軸方向の両端部を残して凹部とされた封書用圧着部であり、その周面の他の一部がハガキ用圧着部である圧着ローラが、前記封書用圧着手段及び前記ハガキ用圧着手段として設けられており、
封書用紙を処理する場合には前記封書用圧着部のみによって封書用紙のみを処理するとともに、ハガキ用紙を処理する場合には前記ハガキ用圧着部のみによってハガキ用紙のみを処理するように前記圧着ローラを制御する制御手段を有することを特徴としている。
【００１１】
請求項３に記載された郵便物作成装置は、
用紙の幅方向の側縁部に感圧接着剤が塗布された封書用紙を折った後に、折られた封書用紙の幅方向の側縁部を加圧しながら搬送することにより封書を作成する封書用圧着手段と、
用紙の全面に感圧接着剤が塗布されたハガキ用紙を折った後に、折られたハガキ用紙の全面を加圧しながら搬送することによりハガキを作成するハガキ用圧着手段と、
を有し、
感圧接着剤が塗布された用紙を折った後に必要箇所を加圧してハガキ又は封書を作成する郵便物作成装置において、
封書用紙及びハガキ用紙を折るとともにハガキ用圧着部として機能する折り手段と、
前記折り手段の下流に配置され、折られた封書用紙の幅方向の一対の側縁部のみを挟持して加圧する前記封書用圧着手段としての封書用圧着ローラと、
を有することを特徴としている。
【発明の効果】
【００１２】
本発明の郵便物作成装置によれば、感圧接着剤が塗布された封書用紙を用いて封書を作成する場合には、用紙の側縁部に塗布された感圧接着剤同士が接触するように用紙を折った後に、封書用圧着手段を用い、折られた封書用紙の幅方向の側縁部を加圧しながら搬送すればよい。また、感圧接着剤が塗布されたハガキ用紙を用いてハガキを作成する場合には、感圧接着剤同士が接触するように用紙を折った後に、ハガキ用圧着手段を用い、折られたハガキ用紙の全面を加圧しながら搬送すればよい。このように、作成する郵便物の種類に合わせて封書用圧着手段とハガキ用圧着手段を使い分けることにより、感圧接着剤を用いて作成するハガキ又は封書を単一の装置を用いて自由に製造することができる。また、このような封書用圧着手段とハガキ用圧着手段の使い分けはユーザーの操作による手動でも、また制御手段による自動でも行うことができる。
【００１３】
請求項１に記載された郵便物作成装置によれば、封書用圧着手段及びハガキ用圧着手段を同じ搬送経路に沿って配置する構成をとることができるので、装置全体の構成を簡略化することができる。また、封書用紙を処理する場合とハガキ用紙を処理する場合との切り替えは、制御手段が封書用圧着手段とハガキ用圧着手段を自動的に切り替えることで行うことができる。
【００１４】
請求項２に記載された郵便物作成装置によれば、封書用圧着手段及びハガキ用圧着手段が、それぞれ封書用圧着部及びハガキ用圧着部として一つの圧着ローラの各一部として一体で構成されているので、各手段を別々の装置として搬送経路に沿って並べて配置する場合に比べて装置の搬送経路を短くすることができる。また、これと異なり、各手段が一体ではない別々の装置として、搬送経路に沿って相応の長さにわたって並べられた構成であるとすると、例えばハガキ用紙をハガキ用圧着手段で処理する場合には、封書用圧着手段ではハガキ用紙を単に通過させなければならないが、そのためにはハガキ用紙の搬送方向の長さは、封書用圧着手段でニップしないでも搬送ができるような寸法に設定しなければならない。封書用紙についても同様である。しかしながら、請求項２の発明によれば、封書用圧着部とハガキ用圧着部が一つの圧着ローラとして一体で構成されているため、封書用紙及びハガキ用紙がそのような搬送方向の長さについて受ける制約は少ない。
【００１５】
請求項３に記載された郵便物作成装置によれば、ハガキ用圧着部を、封書用紙及びハガキ用紙を折る折り手段と兼用したので、装置の小型化、簡略化を実現することができる。
【図面の簡単な説明】
【００１６】
【図１】第１実施形態に係る郵便作成装置の全体構造を示す模式的断面図である。
【図２】第１実施形態の郵便作成装置における圧着手段の構成と、これを用いた封筒の作成工程を示す斜視図である。
【図３】第１実施形態の郵便作成装置における圧着手段の構成と、これを用いたハガキの作成工程を示す斜視図である。
【図４】第２実施形態の郵便作成装置における圧着手段の構成と、これを用いた封筒の作成工程を示す斜視図である。
【図５】第３実施形態の郵便作成装置における圧着手段の構成と、これを用いたハガキの作成工程を示す斜視図である。
【発明を実施するための形態】
【００１７】
（１）第１実施形態（図１〜図３）
以下に説明する実施形態は、感圧接着剤が塗布された封書用紙及びハガキ用紙を用いて、圧着によりハガキ又は封緘した封書を作成する郵便物作成装置１に関するものである。なお、ここで郵便物とは、郵便法に従って配達されるハガキや封書を含むだけでなく、何らかの情報が記載され、配達されるハガキ状又は封書状の配送物一般を広く意味するものとする。
【００１８】
図１に示すように、この郵便物作成装置１は、封書用紙及びハガキ用紙の所定位置に宛て名・内容等の必要な情報を印刷する印刷部２と、次にこの用紙を折って所定の形状に成形し、又は折りと同工程で封書中に内容物を封入し、その後、当該用紙の必要箇所を加圧して感圧接着剤で接着する後処理部３とを備えている。印刷部２と後処理部３は、共通の制御手段１００によって統括して制御される。
【００１９】
図１に示すように、印刷部２は、装置１の各部を収納する筐体４の内部又は側面等に、複数種類の被印刷体（外包物となる枚葉状の封筒用紙、内容物となる用紙、ハガキ用紙）を収納する複数の給紙台Ｐ（Ｐ１〜Ｐ４）を備えている。
【００２０】
封書用紙ＰＬとは、図２中に示すように、矩形の用紙の幅方向、すなわち搬送方向と直交する方向の両側縁部に帯状に感圧接着剤５が設けられたフォームであって、必要な折りを加えて封筒の形状にしてから、感圧接着剤５が対面している幅方向の両側縁部を加圧することにより、用紙を接着して封書を製造することができる。
【００２１】
またハガキ用紙ＰＣとは、図３中に示すように、矩形の用紙の全面に感圧接着剤Ａが設けられたフォームであって、必要な折りを加えてから全面を加圧することにより感圧接着剤Ａで接着して、内容が秘匿された郵便法に適合するハガキを製造することができる。
【００２２】
図１に示すように、給紙台Ｐから出たこれらの用紙等は、導入路５ａからループ状の搬送路５に送り込まれて搬送され、搬送路５の下半部に沿って下向きに所定間隔で配置された印刷手段によって画像が形成される。本例では、印刷手段として、シアン、ブラック、マゼンタ、イエローの各色のインクをそれぞれ吐出する４つのインクジェット装置Ｃ、Ｋ、Ｍ、Ｙが配置されている。
【００２３】
図１に示すように、このループ状の搬送路５には、印刷手段の下流の隣部に、ほぼ水平な方向で用紙をループ外に排出する第１の排出路６が分岐して設けられている。また、ループ状の搬送路５の上半部には、用紙をループ外に排出する第２の排出路７が分岐して設けられている。さらに、第２の排出路７と給紙台Ｐからの導入路との間には、搬送路５中における用紙の上下を反転させる手段として、スイッチバック路８が分岐して設けられている。スイッチバック路８を用い、用紙の上下面を逆転させて搬送路５を２回通過させれば、インクジェット装置Ｃ、Ｋ、Ｍ、Ｙで用紙の上下両面にカラー画像を形成するカラー両面印刷を行なうことができる。
【００２４】
次に、図１に示すように、前記印刷部２の第１の排出路６は水平に延設されて外部に突出しており、隣にある後処理部３の筐体４内に導入されている。筐体９内では、この排出路６は、切り替えフラップ６ａを介して第１の搬送経路１０と第２の搬送経路２０に分岐している。
【００２５】
図１に示すように、第１の搬送経路１０は、第２の搬送経路２０よりも上方に配置されて斜め下方に延設されており、その中途には、封書用紙ＰＬを折って封筒の形態を作製するために第１の折り手段１１が設けられている。この第１の折り手段１１は、回動自在の主折りローラＡと、これに接して回動する用紙搬送ローラＤ及び第１折りローラＢを有している。そして、第１の搬送経路１０は、第１の折り手段１１から略水平方向に延設され、第３の折り手段３３に導かれている。
【００２６】
図１に示すように、第２の搬送経路２０は、第１の搬送経路１０よりも下方に配置されて斜め下方に延設されており、その中途には、用紙搬送ローラと開閉自在なゲートからなる整合部２３が設けられており、搬送した用紙を経路中に留め、重ねて貯留できるようになっている。また、整合部２３の先には、用紙を折り畳むための第２の折り手段２２が設けられている。この第２の折り手段２２は、回動自在な中央の主折りローラＡと、これに接して回動する第１折りローラＢ、第２折りローラＣ及び１つの用紙搬送ローラＤを有している。この第２の折り手段２２によれば用紙を２回以上折ることができる。そして、第２の搬送経路２０は、第２の折り手段２２から斜め上方に延設され、第３の折り手段３３に導かれている。
【００２７】
第３の折り手段３３は、回動自在の主折りローラＡと、これに接して回動する用紙搬送ローラＤ及び第１及び第２折りローラＢ，Ｃを有している。第３の折り手段３３は、封書用紙ＰＬに必要に応じてさらに折りを与えるとともに、折られた封書用紙ＰＬに内容物を整合させた後にさらに折りを加えることにより、内容物を封筒内に包み込ませる封入手段としての機能を有している。
【００２８】
次に、図１に示すように、第３の折り手段３３の主折りローラＡと第２折りローラＣの間からは、斜め上前方に向けて傾斜した経路１２が延設されており、この経路１２は筐体９の上面にまで達している。筐体９内において、第３の折り手段３３の下流には、封書用圧着手段である封書用圧着ローラ４０と、ハガキ用圧着手段であるハガキ用圧着ローラ４１とからなる圧着手段が設けられている。これら封書用圧着ローラ４０とハガキ用圧着ローラ４１は、用紙の搬送方向である経路１２に沿って下流側から順に隣接して並んで配置されている。封書用圧着ローラ４０は、折られた封書用紙ＰＬの幅方向の側縁部を加圧しながら搬送して封書を封緘する。ハガキ用圧着ローラ４１は、折られたハガキ用紙ＰＣの全面を加圧しながら搬送してハガキを作成する。これら両圧着ローラは作成する郵便物の種類に応じて選択的に使用することができるようになっている。
【００２９】
図２は、圧着手段の詳細を拡大して示している。この図には、用紙の経路１２及び前述した第３の折り手段３３さらに封書に封入される用紙は省略して示していないが、封書用紙ＰＬが経路１２沿いに搬送される位置と方向を黒い矢印で示し、さらに図示しない折り手段で封書用紙ＰＬが折られた後に圧着手段で封緘されて封書４６となる工程を１図中に連続的に示している。
【００３０】
図２に示すように、封書用圧着ローラ４０は、両端に設けられた相対的に大径の圧着部４３と、両端の圧着部４３，４３の間に配置された相対的に小径の連結部４４とを有する駆動ローラである。２つの圧着部４３，４３の間隔と、各圧着部４３，４３の軸方向の幅は、折られた封書用紙ＰＬの両側縁部にある感圧接着剤Ａの少なくとも一部を確実に圧着できるように設定されている。封書用圧着ローラ４０は、対向ローラ４５に当接してローラ対を構成している。対向ローラ４５は、圧着部４３と略同径である一定の外径と、封書用圧着ローラ４０と同一の軸方向長さを有する従動ローラである。従って、封書用圧着ローラ４０の連結部４４と対向ローラ４５との間には一定の間隔が生じる。そして、図１及び図２中に白い矢印で示すように、封書用圧着ローラ４０は対向ローラ４５に対して昇降自在とされており、ハガキ用紙ＰＣの幅が圧着部４３にかかるような場合には上昇してハガキ用紙ＰＣに圧力を加えないようになっている。
【００３１】
図２に示すように、ハガキ用圧着ローラ４１は、封書用圧着ローラ４０の下流に配置された一定の外径を有する駆動ローラであり、同形の従動ローラである対向ローラ４５に当接してローラ対を構成している。ハガキ用圧着ローラ４１の外径は、本実施形態では封書用圧着ローラ４０の圧着部４３の外径と同等に設定されている。ハガキ用圧着ローラ４１の軸方向の長さは、本実施形態では前記封書用圧着ローラ４０と同じとされているが、少なくともハガキ用紙ＰＣを全面圧着するために、ハガキ用紙ＰＣの幅よりも大きい必要がある。そして、図１及び図２中に白い矢印で示すように、ハガキ用圧着ローラ４１は、対向ローラ４５に対して昇降自在とされており、封書用紙ＰＬが通過する際には上昇して封書に圧力を加えないようになっている。
【００３２】
次に、本実施形態の郵便物作成装置１における封書の作成工程について説明する。
図１において、印刷部２では、封書用紙ＰＬが例えば給紙台Ｐ１から送り出される。封書用紙ＰＬは、印刷部２において、インクジェット装置Ｃ、Ｋ、Ｍ、Ｙにより必要に応じて外面のみ又は外面と内面の両方にカラー又はモノクロ印刷が施される。
【００３３】
封書用紙ＰＬは、第１の排出路６から後処理部３に入り、切り替えフラップ６ａの選択により、第１の搬送経路１０から第１の折り手段１１に送られる。封書用紙ＰＬは、主折りローラＡと用紙搬送ローラＤによって先方に送られ、図示しない突き当て部材に突き当って撓み、撓んだ部分から主折りローラＡと第１折りローラＢの間に入り、さらに挟持搬送されて通紙方向先端部の一部に折り目がつけられる。一部が折られた未完成の封筒は、第３の折り手段３３に送られて主折りローラＡと用紙搬送ローラＤの間を通過し、さらに主折りローラＡと第２折りローラＢの間も経路に沿って単に通過し、その後内容物の整合に備えて待機する。
【００３４】
封書用紙ＰＬに続き、定められた一定の間隔を空けて内容物となる用紙が例えば給紙台Ｐ２乃至Ｐ４の何れかから搬送路５に送り込まれ、搬送路５を２周する間にインクジェット装置Ｃ、Ｋ、Ｍ、Ｙで両面が印刷される。用紙は、第１の排出路６から後処理部３に入り、切り替えフラップ６ａの選択により、第２の搬送経路２０に送られる。用紙は必要枚数が溜まるまで整合部２３に貯留され、必要枚数が揃ったところで整合部２３が開いて第２の折り手段２２に送り込まれる。第２の折り手段２２で所望の状態に折り畳まれた用紙は、さらに第３の折り手段３３に送り込まれる。本実施形態では、内容物は内三つ折りとされ、第３の折り手段３３で待機している封書用紙ＰＬに整合される。
【００３５】
第３の折り手段３３により、封書用紙ＰＬを外側にして内容物を内側に包み込む工程を実施する。前述した通り、図２の手前側半部には、第３の折り手段３３及び封書４６に封入される用紙は省略しているが、上述した封書用紙ＰＬを折って封書４６とする折り工程の最終段階が示されている。この工程では、封書４６の形状に折った封書用紙ＰＬの中に図示しない用紙が収納されるが、封書用紙ＰＬはまだ接着されていない状態にある。
【００３６】
そして、第３の折り手段３３の下流において、圧着手段により封書の封緘工程を実施する。図２に示すように、封書の圧着工程では、封書用圧着ローラ４０は使用可能状態にあり、対向ローラ４５と当接した状態にある。折り工程から送られた封書用紙ＰＬは、封書用圧着ローラ４０と対向ローラ４５の間を通過する。この間、折られた封書用紙ＰＬの一対の側縁部は、一対の封書用圧着部４３，４３と対向ローラ４５の間に挟まれて圧力を加えられる。その結果、封書の側縁部の感圧接着剤Ａが接着性を生じ、対向する封書用紙ＰＬ同士が圧着され、封書４６の圧着工程が完了する。
【００３７】
なお、図２の例では、封書用紙ＰＬを折った状態において、封書の開口の蓋となるフラップが図示されていないが、通常フラップは封書の幅方向の中央にあるので、感圧接着剤Ａを用いて封書用圧着ローラ４１で圧着する工程はとりにくい。そこで、圧着手段とは別に、例えばフラップには再湿糊を設け、さらに加湿手段を有する何らかの封着手段を圧着手段とは別に設けておき、これらによってフラップの封をするようにしてもよい。
【００３８】
図２に示すように、封書の圧着工程では、ハガキ用圧着ローラ４１は不使用状態にあり、対向ローラ４５から離れた上方の待機位置に設定されている。圧着工程が完了した封筒は、上昇したハガキ用圧着ローラ４１と、その対向ローラ４５の間を通過して図示しない経路１２をさらに搬送されていく。封書４６は上述した必要なフラップ等の接着工程を経た後、図１に示すように筐体９の上面に搬出される。そして、封緘された封書４６は、筐体９の上面に設けられた排出トレイ１５に排出され、順次積み上げられて取り出しを待つ。
【００３９】
次に、本実施形態の郵便物作成装置１におけるハガキ４７の作成工程について説明する。
封書４６の作成工程と略同様に、印刷部２では、ハガキ用紙ＰＣが、何れかの給紙台Ｐ１〜Ｐ４から送り出され、必要に応じてインクジェット装置Ｃ、Ｋ、Ｍ、Ｙにより必要な印刷が施される。
【００４０】
ハガキ用紙ＰＣを後処理する場合には、その二つ折り又は三つ折り等の折り構造や、その前後の工程で作成する封書や他のハガキの製造工程との整合性等を考慮し、後処理部３において利用する搬送経路や折り部を適宜に定めて作業を行なう。すなわち、例えば第１の搬送経路１０で搬送して、第１の折り手段１１は使用せずに第３の折り手段３３で必要な折りを行なってから、ハガキ用圧着手段４１に送り込んでもよいし、第２の搬送経路２０で搬送して、第２の折り手段２２で必要な折りを行なってから、第３の折り手段３３を通過させてハガキ用圧着手段４１に送り込んでもよい。その他、種々のルートが考えられる。
【００４１】
そして、第３の折り手段３３の下流において、ハガキ用圧着ローラ４１によりハガキ４７の封緘工程を実施する。図３の手前側に模式的に示すように、全面に感圧接着剤Ａが塗布されたハガキ用紙ＰＣは、図示しない折り手段によって例えば二つ折りとされて、圧着手段に送り込まれる。図３に示すように、ハガキ４７の圧着工程では、封書用圧着ローラ４０は使用しないので、必要に応じて対向ローラ４５から離れた待機位置に設定されて不使用状態とされる。すなわち、ハガキ用紙ＰＣの幅が、封書用圧着ローラ４０の封書用圧着部４３，４３の間隔よりも小さければ、ハガキ用紙ＰＣは連結部４４と対向ローラ４５の隙間を加圧されることなく通過できるので、封書用圧着ローラ４０を不使用状態に設定する必要はない。しかし、ハガキ用紙ＰＣの幅が、封書用圧着ローラ４０の封書用圧着部４３，４３の間隔よりも大きければ、ハガキ用紙ＰＣの側縁部は、封書用圧着ローラ４０の封書用圧着部４３で加圧されて圧着されてしまい、後工程のハガキ用圧着ローラ４１による全面圧着工程に支障が生じる可能性があるので、その場合には封書用圧着ローラ４０は不使用状態に設定するのが好ましい。
【００４２】
図３に示すように、折り工程から送られたハガキ用紙ＰＣは、封書用圧着ローラ４０と対向ローラ４５の隙間を加圧されることなく通過し、その下流でハガキ用圧着ローラ４１と対向ローラ４５で挟持搬送されて全面を加圧圧着され、ハガキ４７の封緘工程が完了する。圧着工程が完了したハガキ４７は、完成した封書４６の場合と同様に、筐体９の上面に設けられた排出トレイ１５に排出され、順次積み上げられて取り出しを待つ。
【００４３】
（２）第２実施形態（図４）
第２実施形態は、封書及びハガキの圧着手段の構成が第１実施形態と異なり、その他の構成は第１実施形態と同一であるので、共通の部分については、その記載を援用して説明の繰返しを省略する。
図４に示すように、本実施形態では駆動ローラである圧着ローラ５０が、封書４６とハガキ４７の共通の圧着手段となっている。この圧着ローラ５０の周面には、周方向の一部（図示例では略９０°の範囲）について、軸方向の両端部をフランジ状に残して凹部５１が形成されており、このフランジ状に残された突条が封書用圧着部５２とされている。そして、凹部５１が形成されていない圧着ローラ５０の周面の他の領域がハガキ用圧着部５３とされている。圧着ローラ５０は、従動ローラである対向ローラ４５に当接してローラ対を構成している。対向ローラ４５は、圧着ローラ５０に対して相対的に小径で軸方向長さは同等である
【００４４】
図４に示すように、折った封書用紙ＰＬを圧着する場合は、圧着ローラ５０の回転方向の位置を適宜に設定しておき、封書用紙ＰＬの搬入にタイミングを合わせて適当に回転駆動することにより、搬入された封書用紙ＰＬの一対の側縁部だけが、回転する圧着ローラ５０の封書用圧着部５２，５２によって挟持されて圧着されるようにする。側縁部が圧着された封書用紙ＰＬはそのまま圧着ローラ５０と対向ローラ４５に挟持搬送されて送り出される。その後は第１実施形態と同様である。
【００４５】
図示はしないが、折ったハガキ用紙ＰＣを圧着する場合は、圧着ローラ５０の回転方向の位置を適宜に設定しておき、ハガキ用紙ＰＣの搬入にタイミングを合わせて適当に回転駆動することにより、ハガキ用紙ＰＣの全面が、回転する圧着ローラ５０のハガキ用圧着部５３と対向ローラ４５に挟持されて圧着されるようにする。全面が圧着されたハガキ用紙ＰＣはそのまま圧着ローラ５０と対向ローラ４５に挟持搬送されて送り出される。その後は第１実施形態と同様である。
【００４６】
（３）第３実施形態（図５）
第３実施形態は、封書４６及びハガキ４７の圧着手段の構成が第１及び第２実施形態と異なり、その他の構成は第１実施形態と同一であるので、共通の部分については、その記載を援用して説明の繰返しを省略する。
図５に示すように、本実施形態では、第３の折り手段３３が、必要に応じて封書用紙ＰＬ又はハガキ用紙ＰＣを折る本来の折り手段として機能するとともに、ハガキ用紙ＰＣを折る場合には同時に圧着も行なうハガキ用圧着部としても機能する。そして、第３の折り手段３３の下流には、封書用圧着手段としての封書用圧着ローラ４０と対向ローラ４５が配置されている。封書用圧着ローラ４０と対向ローラ４５の構成及び作用は、第１実施形態と同様である。
【００４７】
図５に示すように、ハガキ用紙ＰＣを折って圧着する場合は、第３の折り手段３３でハガキ用紙ＰＣの折り工程と感圧接着剤Ａの圧着工程を同時に行なう。処理されたハガキ４７は、必要に応じて不使用状態に設定された封書用圧着ローラ４０と対向ローラ４５の間を通過して送り出される。図５には示さないが、折った封書用紙ＰＬを圧着する場合には、すでに折られて第３の折り手段３３を通過した封書用紙ＰＬ、又は第３の折り手段３３で必要な折りを経た封書用紙ＰＬを、使用位置に設定した封書用圧着ローラ４０と対向ローラ４５で挟持搬送して圧着し、下流に送り出す。
【００４８】
なお、以上説明した各実施形態において、封書用圧着手段と、ハガキ用圧着手段との使い分けは、図示しない操作パネル等から入力されたジョブ情報に応じ、本装置全体を統括して制御する前記制御手段１００によって行なわれる。
【００４９】
また、以上説明した各実施形態において、封書用圧着手段とハガキ用圧着手段による用紙の圧着では、その用紙に塗布されている感圧接着剤に適した圧力で圧着を行なうようにしてもよい。すなわち、感圧接着剤は、良好な接着力を得るために必要な圧力が種類によって異なるので、使用する用紙に塗布された感圧接着剤の種類に対応して、封書用圧着手段又はハガキ用圧着手段の加圧力を適宜公知の手法によって調整できるようにしてもよい。
【００５０】
（４）実施形態の変形例について
以上説明した各実施形態の郵便物作成装置１は印刷部２を備えているが、この印刷部２は既設の画像形成装置であってもよい。すなわち、既に事業所等に設置してある通常の画像形成装置を本発明における印刷部とし、これに後処理部３を接続することによって本発明の郵便物作成装置１とすることができる。このため、１台の既設の画像形成装置を利用して封書とハガキの作成を行なうことができ、自動的な郵便物作成装置の設置コストが少なくて済む。
【００５１】
また、画像形成装置としては、実施形態で説明したようなインクジェット装置を用いるものでもよいし、孔版原紙を巻装した印刷ドラムを回転させ、用紙をこれに密着させて印刷を行なう印刷装置であってもよい。また、その他の種類の画像形成手段でもよく、画像形成原理を問わない。
【００５２】
また、封書の場合、内容物の用紙は必ずしも折る必要はなく、封筒の大きさとの関係により、折らずに元のサイズのままで封書に封入することとしてもよい。さらに、封書の場合、情報を封書用紙ＰＬの内面側に直接印刷すれば、内容物は必ずしも必要ではない。
【００５３】
また、各実施形態では、封書及び内容物の用紙として枚葉状の用紙を使用したが、例えばロール状の用紙を使用し、使用の都度、必要な長さに切断して供給するようにしてもよい。
【００５４】
さらにまた、各実施形態では、後処理部３における封書用紙ＰＬ及びハガキ用紙ＰＣの折り手段として、複数個の折りローラ等を組み合わせた構成を示したが、これは用紙の折り装置としての一例にすぎない。感圧接着剤を塗布した用紙を折り曲げて封書やハガキの形状とするための手段としては、これ以外の様々な構成の機器、装置類を使用できることは言うまでもない。
【符号の説明】
【００５５】
１…郵便物作成装置
２…印刷部
３…後処理部
１０…第１の搬送経路
１１…第１の折り手段
２０…第２の搬送経路
２２…第２の折り手段
３３…第３の折り手段
４０…圧着手段の封書用圧着手段である封書用圧着ローラ
４１…圧着手段のハガキ用圧着手段であるハガキ用圧着ローラ
４３…封書用圧着部
４５…対向ローラ
４６…封書
４７…ハガキ
５０…圧着手段としての圧着ローラ
５２…封書用圧着部
５３…ハガキ用圧着部
１００…制御手段
ＰＬ…封書用紙
ＰＣ…ハガキ用紙
【図１】
0005595898.tif 000002
【図２】
0005595898.tif 000003
【図３】
0005595898.tif 000004
【図４】
0005595898.tif 000005
【図５】
0005595898.tif 000006